(57)【要約】      （修正有）【課題】小型カメラや無線機などの電子機器類を簡単に組み込むことができ、しかもＬＥＤランプを安定して点灯することができる、多機能型のＬＥＤランプを提供する。【解決手段】多機能ＬＥＤランプＬのランプ本体４の内側に、ＬＥＤ７および主電源回路８が内装され、ランプ本体４に、ＬＥＤ７以外の電子機器Ｅが搭載される。主電源回路８に対してランプ本体４に配された定電流電源回路が接続され、定電流電源回路に対してランプ本体４に配された定電圧電源回路が接続され、定電圧電源回路に対してランプ本体４に配されたＤＣ／ＤＣコンバータが接続され、ＤＣ／ＤＣコンバータに対して、ＬＥＤ７を除く、電子機器Ｅが接続されてなる。【選択図】図１
2020145124.tif 000002
【特許請求の範囲】
【請求項１】
口金に透光カバーが一体化されたランプ本体を有し、当該ランプ本体の内がわにＬＥＤ、および、該ＬＥＤと当該口金とを繋ぐ主電源回路が内装され、当該ランプ本体に、該ＬＥＤ以外の電子機器が搭載され、該主電源回路に対し当該ランプ本体に配された定電流電源回路が接続され、該定電流電源回路に対し当該ランプ本体に配された定電圧電源回路が接続され、該定電圧電源回路に対し当該ランプ本体に配されたＤＣ／ＤＣコンバータが接続され、該ＤＣ／ＤＣコンバータに対し、該ＬＥＤを除く、電子機器が接続されてなるものとしたことを特徴とする多機能ＬＥＤランプ。
【請求項２】
口金に透光カバーが一体化されたランプ本体を有し、当該ランプ本体の内がわにＬＥＤ、および、該ＬＥＤと当該口金とを繋ぐ主電源回路が内装され、当該ランプ本体に、該ＬＥＤ以外の電子機器が搭載され、該主電源回路に対し当該ランプ本体に配された定電流電源回路が接続され、該定電流電源回路に対し当該ランプ本体に配された定電圧電源回路が接続され、該定電圧電源回路に対し当該ランプ本体に配されたＤＣ／ＤＣコンバータが接続され、該ＤＣ／ＤＣコンバータに対し、該ＬＥＤを除く、電子機器が接続され、ＬＥＤへの供給電流量を安定化すると共に、電子機器への供給電流量および供給電圧を該電子機器の許容範囲に規制可能としてなるものとしたことを特徴とする多機能ＬＥＤランプ。
【請求項３】
外部給電の電流量をＬＥＤの点灯に適した一定の電流量に規制する外部・定電流電源回路を有した照明灯装置のソケット部に対し、交換自在に装着可能な外郭形状および外郭寸法に設定され、端子を有する口金、および、該口金に一体化された透光カバーを有するランプ本体が設けられ、当該ランプ本体の内がわに、一または複数個の少なくとも何れか一方のＬＥＤ、および、ＬＥＤと該口金の端子とを繋ぐ主電源回路が内装され、当該ランプ本体の内がわに、演算処理部と、該演算処理部に設けられた記憶部とが設けられ、当該ランプ本体に、当該ランプ本体の外がわに設定された撮像対象範囲に向けられた撮像部を有し、画像信号を演算処理部に送信する、一または複数個の少なくとも何れか一方の小型カメラが設けられ、当該ランプ本体に、該演算処理部の外部無線器との通信を可能とする無線器が設けられ、該主電源回路に対し当該ランプ本体に配された定電流電源回路が接続され、該定電流電源回路に対し当該ランプ本体に配された定電圧電源回路が接続され、該定電圧電源回路に対し当該ランプ本体に配されたＤＣ／ＤＣコンバータが接続され、該ＤＣ／ＤＣコンバータに対し、該ＬＥＤを除く、該演算処理部、記憶部、撮像部、小型カメラおよび無線器などの電子機器の夫々が接続されてなるものとしたことを特徴とする多機能ＬＥＤランプ。
【請求項４】
外部給電の電流量をＬＥＤの点灯に適した一定の電流量に規制する外部・定電流電源回路を有した照明灯装置のソケット部に対し、交換自在に装着可能な外郭形状および外郭寸法に設定され、端子を有する口金、および、該口金に一体化された透光カバーを有するランプ本体が設けられ、当該ランプ本体の内がわに、一または複数個の少なくとも何れか一方のＬＥＤ、および、ＬＥＤと該口金の端子とを繋ぐ主電源回路が内装され、当該ランプ本体の内がわに、演算処理部と、該演算処理部に設けられた記憶部とが設けられ、当該ランプ本体に、当該ランプ本体の外がわに設定された撮像対象範囲に向けられた撮像部を有し、画像信号を演算処理部に送信する、一または複数個の少なくとも何れか一方の小型カメラが設けられ、当該ランプ本体に、該演算処理部の外部無線器との通信を可能とする無線器が設けられ、当該ランプ本体に、該演算処理部に周辺音声の音声信号を送信するマイクを有し、当該ランプ本体に、該演算処理部が送信する音声信号を外部に向けて音声出力するスピーカーが設けられ、該主電源回路に対し当該ランプ本体に配された定電流電源回路が接続され、該定電流電源回路に対し当該ランプ本体に配された定電圧電源回路が接続され、該定電圧電源回路に対し当該ランプ本体に配されたＤＣ／ＤＣコンバータが接続され、該ＤＣ／ＤＣコンバータに対し、該ＬＥＤを除く、該演算処理部、記憶部、撮像部、小型カメラ、無線器、マイクおよびスピーカーなどの電子機器の夫々が接続されてなるものとしたことを特徴とする多機能ＬＥＤランプ。
【請求項５】
スピーカーが、可聴帯域外の２０ＫＨｚ以上の警報音を発するものとされた、請求項４記載の多機能ＬＥＤランプ。
【請求項６】
無線器が、ビーコン信号の受信信号を演算処理部に送信するビーコン受信機能を有するものとされた、請求項３ないし５何れか一記載の多機能ＬＥＤランプ。
【請求項７】
ＬＥＤの照射光、および、透光カバーの透過照明光の少なくとも何れか一方に、近赤外波長または遠赤外波長の少なくとも何れか一方の赤外光が重畳されて照射範囲に到達するものとされた、請求項３ないし６何れか一記載の多機能ＬＥＤランプ。
【請求項８】
少なくとも１個の小型カメラが、ＣＭＯＳ（ｃｏｍｐｌｅｍｅｎｔａｒｙ  ｍｅｔａｌ  ｏｘｉｄｅ  ｓｅｍｉｃｏｎｄｕｃｔｏｒ）カメラからなるものとされた、請求項３ないし７何れか一記載の多機能ＬＥＤランプ。
【請求項９】
少なくとも１個の小型カメラが、サーモグラフィ機能を有するものとされた、請求項３ないし８何れか一記載の多機能ＬＥＤランプ。
【請求項１０】
小型カメラが、複数個互いに適宜間隔を隔てて配設され、撮像された対象物（者）の位置を三角測量可能なものとされてなる、請求項３ないし９何れか一記載の多機能ＬＥＤランプ。
【請求項１１】
演算処理部が、その記憶部に、小型カメラを自動制御する画像処理ソフトウェア、および、無線器を自動制御する自動通信ソフトウェアを有し、該画像処理ソフトウェアおよび自動通信ソフトウェアを統合制御可能とする統合制御ソフトウェアが設けられてなるものとされた、請求項３ないし１０何れか一記載の多機能ＬＥＤランプ。
【請求項１２】
演算処理部が、その記憶部に、マイクを自動制御する録音制御ソフトウェア、および、スピーカーを自動制御する音声出力ソフトウェアを有し、該録音制御ソフトウェアおよび音声出力ソフトウェアを統合制御可能とする統合制御ソフトウェアが設けられてなるものとされた、請求項４または請求項４を選択した請求項５ないし１１何れか一記載の多機能ＬＥＤランプ。
【請求項１３】
無線器が、面状または棒状の少なくとも何れか一方の形状のアンテナ部を有し、該アンテナ部が、透光カバーの外表面に対して所定の傾斜角度姿勢に設けられてなる、請求項３ないし１２何れか一記載の多機能ＬＥＤランプ。
【請求項１４】
透光カバーおよび口金が、直管タイプの透光カバーの両端に一個ずつ合計２個の口金を有する、直管型蛍光灯の外郭形状および外郭寸法に設定されてなる、請求項１ないし１３何れか一記載の多機能ＬＥＤランプ。
【請求項１５】
通信可能な間隔を隔てて設置された複数個の照明灯装置の夫々に対し、請求項３、請求項４、または、請求項３または請求項４の何れか一方を選択した請求項５ないし１４何れか一記載の多機能ＬＥＤランプが組み込まれ、各多機能ＬＥＤランプの無線器と通信可能な無線通信ネットワークを介して通信可能なホストコンピュータ・端末装置を有し、該ホストコンピュータ・端末装置が、無線通信ネットワークを介して各多機能ＬＥＤランプの演算処理部と、アドホック・モードの通信が可能なものとされた、請求項３、請求項４、または、請求項３または請求項４の何れか一方を選択した請求項５ないし１４何れか一記載の多機能ＬＥＤランプを利用した照明範囲監視・警報システム。
【請求項１６】
通信可能な間隔を隔てて設置された複数個の照明灯装置の夫々に対し、請求項３、請求項４、または、請求項３または請求項４の何れか一方を選択した請求項５ないし１４何れか一記載の多機能ＬＥＤランプが組み込まれ、各多機能ＬＥＤランプの無線器と通信可能な無線通信ネットワークを介して通信可能なホストコンピュータ・端末装置を有し、該ホストコンピュータ・端末装置が、無線通信ネットワークを介して各多機能ＬＥＤランプの演算処理部と、インストラクチャー・モードの通信が可能なものとされた、請求項３、請求項４、または、請求項３または請求項４の何れか一方を選択した請求項５ないし１４何れか一記載の多機能ＬＥＤランプを利用した照明範囲監視・警報システム。
【発明の詳細な説明】
【技術分野】
【０００１】
この発明は、従来型の蛍光灯や白熱電球などの何れかに置き換えて設置可能なものとされたＬＥＤ（ｌｉｇｈｔ  ｅｍｉｔｔｉｎｇ  ｄｉｏｄｅ）ランプの技術に関連するものであり、特に、照明機能に留まらず、カメラや無線機などの電子機器類を搭載し、自動的な監視や通報、その他の機能を有するものなどとされた多機能型の照明灯を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                          
【背景技術】
【０００２】
（着目点）
従来型の白熱電球や蛍光灯に比較してＬＥＤランプは、消費電力およびＣＯ２の年間排出量が少なく、耐久寿命が長いという利点があり、経済的に有利な上、自然環境にも優しいという理由から、我が国内において近年新築された建築物の殆どに、ＬＥＤランプが設置されている外、既存の建築物であっても従来型のランプと同様の形状、寸法に設定されたＬＥＤランプの普及が進んでおり、また、自動車のヘッドランプや鉄道車両の車室内照明などにあっても同様にＬＥＤランプへの置き換えが進み、あらゆる照明のＣＯ２排出量の削減に大きな効果を収めている。
【０００３】
このような照明灯のＬＥＤランプ化が進む一方、道路や鉄道などの公共施設では、このような照明設備に加え、要所々々に監視カメラが設置され、遠隔的に監視可能とする技術が導入され、道路の渋滞状況を把握したり、駅のホームや、鉄道車両などの利用者の安全を確保したりするのに役立つものとなっており、現状にあっては、前述の照明設備と、監視カメラ設備とは、互いに独立された別のシステムとして設置、利用されており、特に、監視カメラは、それ自体に多大な設置費用を要するばかりでなく、監視目的に適した設置場所の確保や、設置後の維持管理に多大な労力と経費とを要するものとなっていた。
【０００４】
（従来の技術）
こうした状況を反映し、その打開策となるような提案もこれまでに散見されない訳ではない。
例えば、下記の特許文献１（１）に提案されているものに代表されるように、道路の長手方向に沿って間隔をおいて複数設けられた照明柱に道路状況を撮影するためのカメラが設置され、カメラを効率良くかつ経済的に道路に設置することができるものとした道路状況撮影装置や、同特許文献１（２）に見られるような、太陽光で発電するソーラー電池と、当該ソーラー電池によって発電された電力を蓄える蓄電池と、当該蓄電池から電力が供給される照明灯と、前記蓄電池から供給される電力で動作可能な監視カメラと、前記照明灯の動作および前記監視カメラの動作を制御する制御手段とを備え、前記制御手段は、前記照明灯の照度を低下させることのない点灯状態で前記監視カメラを作動させるとともに、前記監視カメラの消費電力量に応じて所定期間の間、前記照明灯へ供給される電力を低減させることから成り、電力消費を抑制することができる監視多機能ソーラー照明灯装置などが散見される。
【０００５】
また、特許文献１（９）に示されているように、蛍光灯取り付け器具に収まり、少なくとも投光面が透明または半透明である筐体内に取り付けられた多数のＬＥＤ照明体と、前記蛍光灯取り付け器具内の蛍光灯ソケットと接続される端子と、外部とデータを無線でやり取りする無線通信部と、前記ＬＥＤ照明体の照度を調整する電流制御部とを備え、前記蛍光灯ソケットから供給される電力により前記ＬＥＤ照明体を発光させる蛍光灯型ＬＥＤ照明体と、前記蛍光灯型ＬＥＤ照明体内に組み込まれ、当該組み込みにかかる蛍光灯型ＬＥＤ照明体が照らすスポットにおける明るさを検知するよう前記ＬＥＤ照明体の照射光が直接入らない位置、角度に設けられた光センサと、前記蛍光灯型ＬＥＤ照明体に対する無線データ送受信により前記電流制御部を制御する電流制御データを与え、前記ＬＥＤ照明体の照度を調整せしめる中央制御装置とを備え、天井や壁面に既設の前記蛍光灯取り付け器具に対して前記蛍光灯型ＬＥＤ照明体を照明体として取り付けることにより、自動的に複数の前記蛍光灯型ＬＥＤ照明体間の無線ネットワークを構築して各々の前記光センサで検知した前記スポットの明るさを示す光環境データを前記中央制御装置に送信し、前記中央制御装置は、各々の前記蛍光灯型ＬＥＤ照明体から得られる光環境データを基に前記蛍光灯型ＬＥＤ照明体の照度を調整するものとされ、前記蛍光灯型ＬＥＤ照明体内に、撮影画像を取り込むカメラを備え、前記カメラにより撮影した前記蛍光灯型ＬＥＤ照明体下の画像データを、前記無線通信部を介して前記中央制御装置に送信し、前記中央制御装置が、各々の前記蛍光灯型ＬＥＤ照明体から得られる画像データを基に建物内の人の出入りや移動を管理するカメラ監視機能を備えたネットワーク蛍光灯型ＬＥＤ照明システムがある。
【０００６】
そしてまた、同特許文献１（１０）に見られるような、スイッチングトランジスタ、トランスおよび転流用ダイオードから構成されるスイッチング方式の降圧型ＤＣ/ＤＣコンバータを電源として使用されるＬＥＤ照明装置であって、前記トランスの一次コイルは前記スイッチングトランジスタおよびＬＥＤ発光部との間に接続され、ニ次コイルにはセンサーシステムが接続され、ＬＥＤ照明装置とセンサーシステムごとに必要となる電源回路の共通化により、部品実装面のためのスペースを確保できるとともに、ＬＥＤ発光部へのセンサーシステムの組み入れを容易化でき、また、センサーシステムにおける消費電力の変動がＬＥＤ照明灯の点灯状態に悪影響を与えることを回避でき、さらに、発熱量が大きい撮像システム等の画像処理回路の放熱を簡単な構成にて実現できるとともに、センサーシステムで得られた情報の無線送信性能を向上できるという効果が得られるものとされたＬＥＤ照明装置など、幾つかのものが散見される。
【０００７】
しかし、前者特許文献１（１）に示されているような道路状況撮影装置は、照明柱に対して照明ランプとカメラとが夫々個別に組み込まれたものとされており、照明ランプとカメラとを個別に維持、管理しなければならず、維持経費の節減が難しいという欠点があり、特許文献１（２）の監視多機能ソーラー照明灯装置に示されたものなどは、ソーラー電池によって得た電力を、該監視多機能ソーラー照明灯装置に組み込まれている照明灯や監視カメラおよび無線送信回路などへ供給し、監視カメラや無線送信回路などの追加による電力消費量を軽減可能とする技術に特徴を有するものであり、監視カメラの設置や維持の経費を大幅に削減可能とするものとはならないという欠点があり、さらに、特許文献１（３）ないし１（８）に示されている、駅のプラットホームの監視装置などは、カメラの設置場所を必要とし、カメラ設備の維持、管理に要する労力や経費を軽減できるものではなかった。
【０００８】
また、特許文献１（９）に提案されているようなネットワーク蛍光灯型ＬＥＤ照明システムは、蛍光灯型ＬＥＤ照明体に加え、無線通信部、電流制御部、光センサ、中央制御装置およびカメラなどが一体に組み込まれたものとなっているが、こうしたＬＥＤと、ＬＥＤとは動作電圧や動作電流量の異なるＬＥＤ以外の電子機器類とが、共通する電源に直接接続された場合には、ＬＥＤの発光が安定せず、激しくチラついて照明としての機能を果たすことができないものとなってしまったり、ＬＥＤ以外の電子機器類が、許容を超えた電流または電圧の少なくとも何れか一方の影響を受けて破損してしまったりする虞があり、また、同特許文献１（１０）に示されているようなＬＥＤ照明装置などに示されるような、降圧型ＤＣ/ＤＣコンバータを電源として内蔵されたＬＥＤランプは、例えばＧＸ１６ｔ−５規格に基づき、定電流電源がＬＥＤランプ用の照明器具がわに内蔵され、口金をソケット部に装着するだけで、ＬＥＤランプの点灯に適した電流量が供給されるものの場合には、ＬＥＤランプのためのＤＣ/ＤＣコンバータが不要となるものであり、また、ＬＥＤランプに対し、小型カメラなどの電子機器（センサーシステムなど）が搭載される場合には、ＬＥＤへの供給電圧が、小型カメラなどのＬＥＤ以外の電子機器（センサーシステムなど）への供給電圧よりも高いため、定電圧電源と小型カメラなどのＬＥＤ以外の電子機器（センサーシステムなど）との間にＤＣ/ＤＣコンバータが設けられたものとしなければならず、前記同特許文献１（１０）に示されているようなＬＥＤ照明装置を、ＧＸ１６ｔ−５規格の定電圧電源が内蔵されたＬＥＤランプ用の照明器具に組み込むと、ＬＥＤランプの正常な点灯に要する充分な電流量が得られないものとなってしまう虞があった。                                                                                          
【特許文献１】（１）特開２００４−５２０６号公報    （２）特開２００９−１８８９００号公報    （３）特開２００３−６３４０２号公報    （４）特開２０１４−１８４８０３号公報    （５）特開２０１７−１９３５１号公報    （６）特許第３７８５４５６号公報    （７）特許第４０４１６７８号公報    （８）特許第５５０８９６３号公報    （９）特許第４３４０９２５号公報    （１０）特開２０１７−１５２２３３号公報
【発明の概要】
【発明が解決しようとする課題】
【０００９】
（問題意識）
上述したとおり、従前までに提案のある小型カメラなどの各種電子機器類が組み込まれたＬＥＤランプなどは、小型カメラや無線器などの電子機器類が一体に組み込まれたものとされたことにより、ＬＥＤランプと、小型カメラや無線器などの電子機器類とが個別に設置されたものに比較して設置費用、および、メンテナンスの工数を削減できるという利点を有しているが、例えばＧＸ１６ｔ−５規格に基づき、定電流電源がＬＥＤランプ用の照明器具がわに内蔵され、口金をソケット部に装着するだけで、ＬＥＤランプの点灯に適した電流量が供給されるものの場合には、ＬＥＤ用の降圧型ＤＣ/ＤＣコンバータを電源として内蔵されたＬＥＤランプが、そのままＬＥＤランプ用の照明器具に装着された場合に、安定的に点灯しない虞があり、ＧＸ１６ｔ−５規格に基づく定電流電源が内蔵されたＬＥＤランプ用の照明器具に対し、簡単に組み込むことができる上、小型カメラや無線器などの電子機器類が正常に動作可能となり、しかもＬＥＤランプが、それ以外の電子機器類の動作による電流量変動の影響を受けず、安定して点灯することができる多機能型のＬＥＤランプの構成につき、更なる改善の必要性を痛感するに至ったものである。
【００１０】
（発明の目的）
そこで、この発明は、定電流電源が内蔵されたＬＥＤランプ用の照明器具に対し、簡単に組み込むことができる上、小型カメラや無線器などの電子機器類が正常に動作可能となり、しかもＬＥＤランプが安定して点灯することができる新たな多機能型のＬＥＤランプ技術の開発はできないものかとの判断から、逸速くその開発、研究に着手し、長期に渡る試行錯誤と幾多の試作、実験とを繰り返してきた結果、今回、遂に新規な構造の多機能ＬＥＤランプ、およびそれを利用した新規な構造の照明範囲監視・警報システムを実現化することに成功したものであり、以下では、図面に示すこの発明を代表する実施例と共に、その構成を詳述することとする。                                                                      
【課題を解決するための手段】
【００１１】
（発明の構成）
図面に示すこの発明を代表する実施例からも明確に理解されるように、この発明の多機能ＬＥＤランプは、基本的に次のような構成から成り立っている。
即ち、口金に透光カバーが一体化されたランプ本体を有し、当該ランプ本体の内がわにＬＥＤ、および、該ＬＥＤと当該口金とを繋ぐ主電源回路が内装され、当該ランプ本体に、該ＬＥＤ以外の電子機器が搭載され、該主電源回路に対し当該ランプ本体に配された定電流電源回路が接続され、該定電流電源回路に対し当該ランプ本体に配された定電圧電源回路が接続され、該定電圧電源回路に対し当該ランプ本体に配されたＤＣ／ＤＣコンバータが接続され、該ＤＣ／ＤＣコンバータに対し、該ＬＥＤを除く、電子機器が接続されてなるものとした構成を要旨とする多機能ＬＥＤランプである。
【００１２】
この基本的な構成からなる多機能ＬＥＤランプは、その表現を変えて示すならば、口金に透光カバーが一体化されたランプ本体を有し、当該ランプ本体の内がわにＬＥＤ、および、該ＬＥＤと当該口金とを繋ぐ主電源回路が内装され、当該ランプ本体に、該ＬＥＤ以外の電子機器が搭載され、該主電源回路に対し当該ランプ本体に配された定電流電源回路が接続され、該定電流電源回路に対し当該ランプ本体に配された定電圧電源回路が接続され、該定電圧電源回路に対し当該ランプ本体に配されたＤＣ／ＤＣコンバータが接続され、該ＤＣ／ＤＣコンバータに対し、該ＬＥＤを除く、電子機器が接続され、ＬＥＤへの供給電流量を安定化すると共に、電子機器への供給電流量および供給電圧を該電子機器の許容範囲に規制可能としてなるものとした構成からなる多機能ＬＥＤランプとなる。
【００１３】
より具体的には、外部給電の電流量をＬＥＤの点灯に適した一定の電流量に規制する外部・定電流電源回路を有した照明灯装置のソケット部に対し、交換自在に装着可能な外郭形状および外郭寸法に設定され、端子を有する口金、および、該口金に一体化された透光カバーを有するランプ本体が設けられ、当該ランプ本体の内がわに、一または複数個の少なくとも何れか一方のＬＥＤ、および、ＬＥＤと該口金の端子とを繋ぐ主電源回路が内装され、当該ランプ本体の内がわに、演算処理部と、該演算処理部に設けられた記憶部とが設けられ、当該ランプ本体に、当該ランプ本体の外がわに設定された撮像対象範囲に向けられた撮像部を有し、画像信号を演算処理部に送信する、一または複数個の少なくとも何れか一方の小型カメラが設けられ、当該ランプ本体に、該演算処理部の外部無線器との通信を可能とする無線器が設けられ、該主電源回路に対し当該ランプ本体に配された定電流電源回路が接続され、該定電流電源回路に対し当該ランプ本体に配された定電圧電源回路が接続され、該定電圧電源回路に対し当該ランプ本体に配されたＤＣ／ＤＣコンバータが接続され、該ＤＣ／ＤＣコンバータに対し、該ＬＥＤを除く、該演算処理部、記憶部、撮像部、小型カメラおよび無線器などの電子機器の夫々が接続されてなるものとした構成からなる多機能ＬＥＤランプとなる。
【００１４】
さらに具体的に示すと、外部給電の電流量をＬＥＤの点灯に適した一定の電流量に規制する外部・定電流電源回路を有した照明灯装置のソケット部に対し、交換自在に装着可能な外郭形状および外郭寸法に設定され、端子を有する口金、および、該口金に一体化された透光カバーを有するランプ本体が設けられ、当該ランプ本体の内がわに、一または複数個の少なくとも何れか一方のＬＥＤ、および、ＬＥＤと該口金の端子とを繋ぐ主電源回路が内装され、当該ランプ本体の内がわに、演算処理部と、該演算処理部に設けられた記憶部とが設けられ、当該ランプ本体に、当該ランプ本体の外がわに設定された撮像対象範囲に向けられた撮像部を有し、画像信号を演算処理部に送信する、一または複数個の少なくとも何れか一方の小型カメラが設けられ、当該ランプ本体に、該演算処理部の外部無線器との通信を可能とする無線器が設けられ、当該ランプ本体に、該演算処理部に周辺音声の音声信号を送信するマイクを有し、当該ランプ本体に、該演算処理部が送信する音声信号を外部に向けて音声出力するスピーカーが設けられ、該主電源回路に対し当該ランプ本体に配された定電流電源回路が接続され、該定電流電源回路に対し当該ランプ本体に配された定電圧電源回路が接続され、該定電圧電源回路に対し当該ランプ本体に配されたＤＣ／ＤＣコンバータが接続され、該ＤＣ／ＤＣコンバータに対し、該ＬＥＤを除く、該演算処理部、記憶部、撮像部、小型カメラ、無線器、マイクおよびスピーカーなどの電子機器の夫々が接続されてなるものとした構成からなる多機能ＬＥＤランプとなる。
【００１５】
（関連する発明１）
上記した多機能ＬＥＤランプに関連して、この発明には、それを利用した照明範囲監視・警報システムも包含している。
即ち、通信可能な間隔を隔てて設置された複数個の照明灯装置の夫々に対し、この発明の基本をなす前記何れかの多機能ＬＥＤランプが組み込まれ、各多機能ＬＥＤランプの無線器と通信可能な無線通信ネットワークを介して通信可能なホストコンピュータ・端末装置を有し、該ホストコンピュータ・端末装置が、無線通信ネットワークを介して各多機能ＬＥＤランプの演算処理部と、アドホック・モードの通信が可能なものとされた、この発明の基本をなす前記何れかの多機能ＬＥＤランプを利用した照明範囲監視・警報システムである。
【００１６】
この照明範囲監視・警報システムを、その記載表現を変えて示すと、通信可能な間隔を隔てて設置された複数個の照明灯装置の夫々に対し、この発明の基本をなす前記何れかの多機能ＬＥＤランプが組み込まれ、各多機能ＬＥＤランプの無線器と通信可能な無線通信ネットワークを介して通信可能なホストコンピュータ・端末装置を有し、該ホストコンピュータ・端末装置が、無線通信ネットワークを介して各多機能ＬＥＤランプの演算処理部と、インストラクチャー・モードの通信が可能なものとされた、この発明の基本をなす前記何れかの多機能ＬＥＤランプを利用した照明範囲監視・警報システムということができる。                                                                                    
【発明の効果】
【００１７】
以上のとおり、この発明の多機能ＬＥＤランプによれば、従前までのものとは違い、上記したとおりの固有の特徴ある構成から、外部・定電流電源回路が内蔵されたＬＥＤランプ用の照明器具に対し、簡単に組み込むことができる上、ＬＥＤランプが安定して点灯するものとなり、しかも小型カメラや無線器などの電子機器類が正常に動作可能となる新たな多機能型のＬＥＤランプ技術を実現化し、広く提供できるものとなるという秀でた特徴が得られるものである。
【００１８】
加えて、ランプ本体に演算処理部、小型カメラおよび無線器が設けられているから、照明範囲の一部および全部の少なくとも何れか一方を含む範囲を自動的に撮像し、撮像された画像に基づき、自動的に画像分析するものとすることができ、さらに、画像分析の結果を自動的に、無線器を通じて外部無線器に接続された端末機器などに送信可能なものとなるから、ＬＥＤランプに監視カメラの機能を追加することができ、従前までであれば、監視カメラ専用の設置場所の確保や、監視カメラシステムの設置およびメンテナンスに多大な経費を費やさざるを終えなかった駅のホーム、鉄道車両、道路、大型車両、大型商業施設、大型建築物、および、一般住宅に至る様々な照明灯に、格段に経済的に導入し、メンテナンスコストを大幅削減することができるものになるという効果が得られるものである。
【００１９】
さらに、この発明の多機能ＬＥＤランプは、演算処理部、小型カメラ、無線器に加えて、マイクおよびスピーカーも一体に設けられたものとすることにより、小型カメラの画像情報に加え、マイクによる周辺の音声情報も捕らえることが可能となり、それらの画像および音声の情報は、演算処理部で適宜分析可能である外、無線器を介して外部無線器と通信可能なものとしてあるから、当該多機能ＬＥＤランプが設置された場所のより正確な状況を遠隔的に知ることができるものとなり、演算処理部が、画像や音声情報に基づき必要と判断した場合には、スピーカーを通じて、説明音声や警報音声などを発することができるものとなり、監視カメラの機能に加えて、警報装置としての機能を兼ねることができる外、施設内の案内音声や誘導音声などを放送したり、遠隔地からの無線を介した会話などを可能なものとしたりすることができるものとなる。
そして、スピーカーが、可聴帯域外の２０ＫＨｚ以上の警報音を発するものとされている、この発明の多機能ＬＥＤランプによれば、盲導犬やペット、家畜、野生動物、可聴帯域外の音を捕らえる補聴器を装着した人、および、マイクを有するロボットや携帯型パーソナルコンピュータなどへの警報や忌避、誘引、案内などを可能とする機能を有するものとすることができる。
【００２０】
また、無線器が、ビーコン信号の受信信号を該演算処理部に送信するビーコン受信機能を有するものとされた、この発明の多機能ＬＥＤランプによれば、ランプ交換の際の位置情報の管理が容易になり、複数の多機能ＬＥＤランプが、ホストコンピュータ・端末装置の無線器や携帯型端末などの外部無線器とインストラクチャー・モードの通信や、アドホック・モードの通信など様々な形態の通信が可能となり、多様な照明範囲監視・警報システムの構築を可能とすることができ、特に、無線ＬＡＮ（Ｌｏｃａｌ  Ａｒｅａ  Ｎｅｔｗｏｒｋ）、Ｗｉ−Ｆｉ（登録商標）、Ｂｌｕｅｔｏｏｔｈ（登録商標），ＢＬＥ（Ｂｌｕｅｔｏｏｔｈ  Ｌｏｗ  Ｅｎｅｒｇｙ），Ｂｅａｃｏｎの少なくとも何れか一の通信が可能なものとされてなるものは、既存のネットワークシステムに容易に組み込むことができ、さらに、ネットワークシステムを発展させることも簡単になるという利点が得られる。
【００２１】
ＬＥＤチップの照射光、および、透光カバーの透過照明光の少なくとも何れか一方に近赤外波長および遠赤外波長の少なくとも何れか一方の赤外光が重畳されて照射範囲に到達するものとされた、この発明の多機能ＬＥＤランプによれば、小型カメラが捕らえた画像から、近赤外波長を加えた照明下の白杖と白い傘およびビニール傘をより正確に識別可能なものとすることができ、より具体的には、例えば、近赤外波長を加えた照明で傘のカバーを透過し、骨（金属部品）を写すことによって杖と傘とをより正確に区別できるものとすることができ、また、サーモグラフィカメラの機能を有する小型カメラが装備されたものとすることにより、遠赤外線の放射温度を検知し、これによって盲導犬とバッグとをより正確に識別することができるものとなり、駅のホームや鉄道車両の客室内外、道路、大型旅客車両の車室内外などの安全を格段に高めることができるものとなる。
【００２２】
小型カメラが、少なくとも１個の小型カメラが、ＣＭＯＳ（ｃｏｍｐｌｅｍｅｎｔａｒｙ  ｍｅｔａｌ  ｏｘｉｄｅ  ｓｅｍｉｃｏｎｄｕｃｔｏｒ）カメラからなるものとされた、この発明の多機能ＬＥＤランプによれば、この発明の多機能ＬＥＤランプに要求される監視カメラとしての撮像性能を充分に達成することができる上、それ以外の既存の小型カメラを搭載したものよりも消費電力が少なく、製造コストも削減できるから、格段に経済的に生産、提供できるものになるという効果が得られる。
【００２３】
小型カメラが、少なくとも１個の小型カメラが、サーモグラフィ機能を有するものとされた、この発明の多機能ＬＥＤランプによれば、前述したように、発熱物を明確に識別できるものとなり、例えば、駅のホームの盲導犬とバッグとをより正確に識別することができるものとなり、空港の乗降客の中の伝染病感染者を識別したりすることができる外、建築物や車両などの火災の発生を自動的に報知したり、未然に発見し報知したりすることが可能なものとなる。
そして、小型カメラが、複数個互いに適宜間隔を隔てて配設され、撮像された対象物（者）の位置を三角測量可能なものとされてなる、この発明の多機能ＬＥＤランプによれば、この発明の多機能ＬＥＤランプの設置位置から、撮像された対象物（者）までの距離および位置をより正確に把握することが可能となり、より高精度の監視を実現可能なものとなる。
【００２４】
演算処理部が、その記憶部に、小型カメラを自動制御する画像処理ソフトウェア、および、無線器を自動制御する自動通信ソフトウェアを有し、該画像処理ソフトウェアおよび自動通信ソフトウェアを統合制御可能とする統合制御ソフトウェアが設けられてなるものとされた、この発明の多機能ＬＥＤランプによれば、統合制御ソフトウェアが制御する画像処理ソフトウェアおよび自動通信ソフトウェアによって小型カメラが撮影した画像情報を、自動的に画像処理することが可能となる上、画像処理によって得られた情報が、無線器を介して遠隔地に自動送信されるものとなり、遠隔地からの自動的監視機能を大幅に高めたものとすることができる。
【００２５】
演算処理部が、その記憶部に、マイクを自動制御する録音制御ソフトウェア、および、スピーカーを自動制御する音声出力ソフトウェアを有し、該録音制御ソフトウェアおよび音声出力ソフトウェアを統合制御可能とする統合制御ソフトウェアが設けられてなるものとされた、この発明の多機能ＬＥＤランプによれば、統合制御ソフトウェアが制御する録音制御ソフトウェアおよび音声出力ソフトウェアによってマイクが集音した音声を、自動的に音声分析したり、その分析結果を、無線器を介して遠隔地に自動送信したりすることができる上、スピーカーを通じて自動的に音声出力したり、無線器を介して遠隔地から受信した音声を音声出力したりすることが可能となり、自動的または遠隔地からの音声検知、音声誘導、音声案内、通話などの機能を有するものとすることができる。
【００２６】
無線器が、面状および棒状の少なくとも何れか一方の形状のアンテナ部を有し、該アンテナ部が、透光カバーの外表面に対して所定の傾斜角度姿勢に設けられてなる、この発明の多機能ＬＥＤランプによれば、無線器が、照明光を遮り、照明範囲を狭めてしまうのを防止して、より広範囲の照明を実現化するものとなる上、無線器が、口金や電源回路などの周囲の部品に影響されず、より確実な通信を実現化できるものになり、格段に信頼性に優れた通信機能を達成できるものとなる。
【００２７】
透光カバーおよび口金が、直管タイプの透光カバーの両端に一個ずつ合計２個の口金を有する、直管型蛍光灯の外郭形状および外郭寸法に設定されてなる、この発明の多機能ＬＥＤランプによれば、外部給電の電流量をＬＥＤの点灯に適した一定の電流量に規制する外部・定電流電源回路を有した照明灯装置のソケット部に対し、簡便に交換する要領で、設置することができるものとすることができる外、該外部・定電流電源回路を有した照明灯装置に対し、この発明の直管型の多機能ＬＥＤランプを組み込むだけで、監視カメラを別に設置する必要がなくなり、それら設置費用と維持管理費用とを大幅に削減することができるものとなる。
【００２８】
そして、通信可能な間隔を隔てて設置された複数個の照明灯装置の夫々に対し、この発明の多機能ＬＥＤランプが組み込まれ、各多機能ＬＥＤランプの無線器と通信可能な無線通信ネットワークを介して通信可能なホストコンピュータ・端末装置を有し、該ホストコンピュータ・端末装置が、無線通信ネットワークを介して各多機能ＬＥＤランプの演算処理部と、アドホック・モードの通信が可能なものとされた、この発明の多機能ＬＥＤランプを利用した照明範囲監視・警報システムによると、広大な範囲や、駅のホームや鉄道車両内、バスなどの大型旅客車両内、道路沿いなど長い距離に渡って一定の間隔を置いて多数設置される照明灯装置を対象とする場合に、より経済的により確実な通信を確保できるものになるという優れた効果が得られる。
【００２９】
また、通信可能な間隔を隔てて設置された複数個の照明灯装置の夫々に対し、この発明の多機能ＬＥＤランプが組み込まれ、各多機能ＬＥＤランプの無線器と通信可能な無線通信ネットワークを介して通信可能なホストコンピュータ・端末装置を有し、該ホストコンピュータ・端末装置が、無線通信ネットワークを介して各多機能ＬＥＤランプの演算処理部と、インストラクチャー・モードの通信が可能なものとされた、この発明の多機能ＬＥＤランプを利用した照明範囲監視・警報システムによると、通信速度を高め、より迅速な監視作業、避難誘導、案内などをより広範囲にわたって実現化できるものになるという利点が得られる。                                                                                    
【発明を実施するための最良の形態】
【００３０】
上記したとおりの構成からなるこの発明の実施に際し、その最良もしくは望ましい形態について説明を加えることにする。
照明灯装置は、この発明の多機能ＬＥＤランプが交換自在に機械的に組み込まれ、電気的に接続可能となり、多機能ＬＥＤランプに電力を供給可能とする機能を担い、外部電源に接続され、多機能ＬＥＤランプに対し、ＬＥＤランプが安定して点灯可能な定電流を給電可能であって、白熱ランプ用のソケット部、白熱ランプ型ＬＥＤランプ用のソケット部、蛍光ランプ用のソケット部、または、蛍光ランプ型ＬＥＤランプ用のソケット部の少なくとも何れか一種のソケット部が設けられたものとしなければならず、照明灯の設置位置、および、監視カメラの設置位置の少なくとも何れか一方の位置に設置されたものとするのが望ましく、後述する実施例にも示すように、既存の直管形蛍光ランプから直管形ＬＥＤランプへの置き換えを安全に行うために制定されたＧＸ１６ｔ−５規格に準じたL形ピン口金用のソケット部が設けられたものとし、さらに、直管形ＬＥＤランプが、正常に点灯できる電流量の定電流給電が可能なものとするのが良い。
【００３１】
この発明の多機能ＬＥＤランプの口金は、該多機能ＬＥＤランプを照明灯装置に対して機械的および電気的に着脱自在に組み込み可能とする機能を担っており、照明灯装置に対し、電気的に着脱自在に組み込み可能な端子を有するものとしなければならず、該端子が、照明灯装置に対し、機械的に着脱自在に組み込み可能とする機能を兼ねたものとすることが可能であり、また、複数個設けられた端子の中の一部が、電気的接続が不能であり、機械的接続のみを担うようにされたものとすることが可能であり、口金は、既存の白熱ランプ型のもの、既存の蛍光ランプ形のもの、または、ＬＥＤランプ専用形のものの何れか一とするのが良く、後述する実施例にも示すように、ＧＸ１６ｔ−５規格に準じたL形ピン口金を有するものとすることができる。
【００３２】
この発明の多機能ＬＥＤランプの透光カバーは、内蔵されるＬＥＤが発する照明光を、多機能ＬＥＤランプの外がわに透過、照射可能とすると共に、外観を各種白熱ランプ、各種蛍光ランプ、各種ＬＥＤランプ、その他の各種ランプの中の少なくとも何れか一の外観形状を呈するという機能を分担し、ＬＥＤ、およびその他の内蔵部品類などが外部に露出しないよう包囲すると共に、照明光を適度に分散したり、集光したり、波長を選択したりする機能が付加されたものとすることができ、より具体的には、無色透明、有色透明、無色半透明、有色半透明、または、それらが部分的に組み合わせされたものなどとすることが可能である。
【００３３】
ＬＥＤは、電源回路からの電力を受けて発光し、この発明の多機能ＬＥＤランプの照明光を発する機能を分担し、照射範囲を昼光色、昼白色、白色、温白色および電球色の少なくとも何れか一の発光色に照明するものとすることができる外、昼光色、昼白色、白色、温白色および電球色の外の青色、紫色、赤色、橙色、黄色、緑色などの有色光の何れか一の発光色に照明するものとすることが可能であり、赤外光や紫外光が重畳されて照射範囲に到達するようにされたものとすることが可能であって、ＬＥＤの種類は、砲弾型、表面実装型（ＳＭＤ：Ｓｕｒｆａｃｅ  Ｍｏｕｎｔ  Ｄｅｖｉｃｅ）、チョップオンボード（ＣＯＢ：Ｃｈｉｐ−Ｏｎ−Ｂｏａｒｄ）、その他の構造のもの中の少なくとも何れか一種とすることが可能であり、透光カバーに包囲されるよう設けられた基板に対して複数個が搭載されたものとするのが望ましい。
【００３４】
この発明の多機能ＬＥＤランプの主電源回路は、該多機能ＬＥＤランプの口金を通じて外部から供給された定電流給電を、該多機能ＬＥＤランプのＬＥＤに供給すると共に、該口金を通じて外部から供給された定電流給電を、該多機能ＬＥＤランプの定電流電源回路に供給する機能を分担し、例えば、後述する実施例にも示しているように、外部給電の電流量をＬＥＤの点灯に適した一定の電流量に規制する外部・定電流電源回路を有した照明灯装置に対し、この発明の多機能ＬＥＤランプが組み込まれた場合に、照明灯装置のソケット部から、該多機能ＬＥＤランプの口金を通じて供給された定電流給電を、該多機能ＬＥＤランプのＬＥＤ、および、定電流電源回路に供給する如く配線されたものとするのが良い。
【００３５】
定電流電源回路は、この発明の多機能ＬＥＤランプの主電源回路から供給された定電流給電を、この発明の多機能ＬＥＤランプに搭載されたＬＥＤの点灯に適した一定の電流量から、この発明の多機能ＬＥＤランプに搭載された電子機器の正常な作動に適した一定の電流量に規制し、電子機器の動作による電流量の変動を抑制し、ＬＥＤの点灯中のチラツキを防止可能とする機能を分担するものであり、主電源回路と定電圧電源回路との間に配されたものとしなければならない。
【００３６】
定電圧電源回路は、定電流電源回路から、電子機器の正常な作動に適した一定の電流量に規制し、供給された定電流給電を、ＤＣ／ＤＣコンバータの正常な作動に適した一定の電圧に規制し、定電圧電源回路以降の、負荷変動による電圧の変動を規制し、定電圧電源回路およびＤＣ／ＤＣコンバータに過大な電圧が加わってしまうのを防止する機能を分担し、定電圧電源回路とＤＣ／ＤＣコンバータとの間に配されたものとしなければならない。
【００３７】
ＤＣ／ＤＣコンバータは、定電圧電源回路から供給される電力を、電子機器の正常な作動に適した一定の電圧に規制する機能を担っており、電子機器の定格電圧毎に電圧を規制可能なものとしなければならず、定格電圧の異なる複数個の電子機器に対して、夫々個別のＤＣ／ＤＣコンバータが設けられたものとすることができる外、後述する実施例にも示しているが、定格電圧が同じ複数個の電子機器に対し、１個のＤＣ／ＤＣコンバータが設けられたものとすることが可能であり、また、互いに異なる定格電圧の電子機器に対しては、各電子機器の夫々に適した電圧に規制する個別のＤＣ／ＤＣコンバータが設けられたものとすることができる。
【００３８】
電子機器は、この発明の多機能ＬＥＤランプに一体的に搭載され、ＬＥＤの照明以外の機能性を発揮するという機能を分担するものであり、例えば、後述する実施例にも示しているように、演算処理部、記憶部、小型カメラ、無線器、無線回路基板、アンテナ部、マイク、集音部、スピーカー、音声出力部、またはその他の電子装置類などの中の少なくとも一とすることが可能である。
【００３９】
電子機器としての演算処理部は、小型カメラおよび無線器などの各機能的部品を自動的に制御可能とする機能を担い、記憶部を有し、主電源回路からの電力を受けて動作するものとすべきであり、より具体的には、読み取り可能、および、読み書き可能の少なくとも何れか一方の半導体メモリーが接続されたＣＰＵ（Ｃｅｎｔｒａｌ  Ｐｒｏｃｅｓｓｉｎｇ  Ｕｎｉｔ）、マイクロコンピュータ、リレー回路、またはそれらに置き換えることができる制御回路などの少なくとも一とすることが可能であって、後述する実施例にも示すとおり、電子機器としての記憶部は、小型カメラを自動制御する画像処理ソフトウェア、無線器を自動制御する自動通信ソフトウェア、マイクを自動制御する録音制御ソフトウェア、スピーカーを自動制御する音声出力ソフトウェアを記憶し、さらに、それら画像処理ソフトウェア、自動通信ソフトウェア、録音制御ソフトウェアおよび音声出力ソフトウェアを統合制御可能とする統合制御ソフトウェアを記憶したものとすることができ、各制御ソフトウェアは、無線器および無線通信ネットワークを介したホストコンピュータ・端末装置（外部無線器）からの通信を通じて、この発明の多機能ＬＥＤランプの管理者によって書き換えることが可能なものとすることができる。
【００４０】
電子機器としての小型カメラは、透光カバーの外がわに設定された撮像対象範囲を撮像し、その画像信号を演算処理部に送信する機能を担い、撮像部が、この発明の多機能ＬＥＤランプの照明灯装置のソケット部に交換自在に装着可能な外郭形状および外郭寸法内に収まり、該多機能ＬＥＤランプの照明の妨げにならないよう配され、該多機能ＬＥＤランプの設置条件に応じて撮像対象範囲を調節できるよう、撮像部の角度姿勢を調節可能とする撮像範囲調節機構が組み込まれたものとすることが可能であり、ＣＣＤ（Ｃｈａｒｇｅ  Ｃｏｕｐｌｅｄ  Ｄｅｖｉｃｅ）カメラなどの小型カメラとすることができ、ＣＭＯＳカメラとするのが望ましく、サーモグラフィ機能を有するものとすることができ、後述する実施例にも示すように、一個の多機能ＬＥＤランプの複数箇所に２台以上の小型カメラが設けられ、撮像された対象物（者）の位置を三角測量可能とされたものとすることが可能であり、画像処理ソフトウェアに従い、演算処理部の自動制御を受けて動作するものとするのが良い。
【００４１】
電子機器としての無線器は、この発明の多機能ＬＥＤランプの演算処理部の外部無線器との通信を可能とする機能を担い、より具体的には、この発明の照明範囲監視・警報システムにおける無線通信ネットワークに接続された、別のこの発明の多機能ＬＥＤランプの無線器（外部無線器）およびホストコンピュータ・端末装置の外部無線器の少なくとも何れか一方と通信可能とする機能を有し、無線通信、無線ＬＡＮ（Ｌｏｃａｌ  Ａｒｅａ  Ｎｅｔｗｏｒｋ）、Ｗｉ−Ｆｉ（登録商標）、Ｂｌｕｅｔｏｏｔｈ（登録商標），ＢＬＥ（Ｂｌｕｅｔｏｏｔｈ  Ｌｏｗ  Ｅｎｅｒｇｙ），Ｂｅａｃｏｎの少なくとも何れか一の通信が可能なものとされたものとすべきであり、後述する実施例にも示しているように、面状および棒状の少なくとも何れか一方の形状のアンテナ部を有し、該アンテナ部が、透光カバーの外表面に対して所定の傾斜角度姿勢に設けられてなるものとするのが良い。
【００４２】
電子機器としてのマイクは、この発明の多機能ＬＥＤランプの設置場所の周辺音声を感知し、その周辺音声の音声信号を演算処理部に送信する機能を分担し、多機能ＬＥＤランプの設置場所の周辺の、小型カメラの撮像対象範囲に向けられたものとするのが望ましく、集音の向きを調節可能とする集音方向調節機構が組み込まれたものとすることが可能であり、電子機器としてのスピーカーは、演算処理部が送信する音声信号を外部に向けて音声出力する機能を分担し、この発明の多機能ＬＥＤランプの設置場所の周辺に接近する人や動物、その他の音声を感知可能な対象物などに向けて音声を出力可能とする機能を有し、後述する実施例にも示すように、盲導犬、野鳥、犬、猫、鹿、猪、その他の動物、可聴帯域を超えた音声を受信可能な自動機械、ロボットなどに感知されるよう、可聴帯域外の２０ＫＨｚ以上の警報音を発するものとされたものとすることが可能である。
【００４３】
無線通信ネットワークは、この発明の照明範囲監視・警報システムが設置される対象範囲内の各照明灯装置に交換自在に装着されたこの発明の多機能ＬＥＤランプ、および、ホストコンピュータ・端末装置が無線接続可能な環境を提供する機能を分担し、例えば、無線ＬＡＮ、Ｗｉ−Ｆｉ（登録商標）、Ｂｌｕｅｔｏｏｔｈ（登録商標），ＢＬＥ（Ｂｌｕｅｔｏｏｔｈ  Ｌｏｗ  Ｅｎｅｒｇｙ）による無線通信のネットワークや、センサネットワーク、その他の無線ネットワークの中の少なくとも何れか一の無線通信技術を利用したものとするのが望ましく、ホストコンピュータ・端末装置は、この発明の照明範囲監視・警報システムが設置される対象範囲内の各照明灯装置に交換自在に装着されたこの発明の多機能ＬＥＤランプと通信可能であり、各多機能ＬＥＤランプを個別に制御可能とする機能を担い、ホストコンピュータ・端末装置が、その無線器（外部無線器）を介して多機能ＬＥＤランプの無線器と通信したり、小型カメラの中継画像、および、演算処理部が記憶部に自動的に記録した録画画像をホストコンピュータ・端末装置のディスプレイに表示したり、マイクが検知した音声、および、演算処理部が記憶部に自動的に記録した録音音声をホストコンピュータ・端末装置のスピーカーから出力したり、ホストコンピュータ・端末装置のマイクで検知した音声および、演算処理部が記憶部に予め記録されている音声を多機能ＬＥＤランプのスピーカーから音声出力したりすることが可能である外、後述する実施例にも示しているように、ＢＬＥ（Ｂｌｕｅｔｏｏｔｈ  Ｌｏｗ  Ｅｎｅｒｇｙ）通信によってＢｅａｃｏｎの機能を搭載したスマートフォンやタブレットＰＣ（Ｐｅｒｓｏｎａｌ  ｃｏｍｐｕｔｅｒ）などと個別に通信可能なものとすることができる。
【００４４】
無線通信ネットワークは、通信可能な間隔を隔てて設置された複数個の照明灯装置の夫々に対し、この発明の多機能ＬＥＤランプが組み込まれ、各多機能ＬＥＤランプの無線器と通信可能な無線通信ネットワークを介して通信可能なホストコンピュータ・端末装置を有し、該ホストコンピュータ・端末装置が、無線通信ネットワークを介して各多機能ＬＥＤランプの演算処理部と、アドホック・モードの通信が可能とされたものとすることができる外、通信可能な間隔を隔てて設置された複数個の照明灯装置の夫々に対し、この発明の多機能ＬＥＤランプが組み込まれ、各多機能ＬＥＤランプの無線器と通信可能な無線通信ネットワークを介して通信可能なホストコンピュータ・端末装置を有し、該ホストコンピュータ・端末装置が、無線通信ネットワークを介して各多機能ＬＥＤランプの演算処理部と、インストラクチャー・モードの通信が可能とされたものとすることができる。
以下では、図面に示すこの発明を代表する実施例と共に、その構造について詳述することとする。                                                                                                                  
【図面の簡単な説明】
【００４５】
図面は、この発明の多機能ＬＥＤランプ、およびそれを利用した照明範囲監視・警報システムの技術的思想を具現化した代表的な幾つかの実施例を示すものである。
【図１】多機能ＬＥＤを示す三面図である。
【図２】多機能ＬＥＤの要部を示す斜視図である。
【図３】マイクとスピーカーが増設された多機能ＬＥＤランプを示す下面図である。
【図４】片側給電タイプの多機能ＬＥＤランプを示す下面図である。
【図５】両側給電タイプの両端がわに電子機器が搭載された多機能ＬＥＤランプを示す下面図である。
【図６】照明灯装置に装着された多機能ＬＥＤランプを示す斜視図である。
【図７】アドホック・モードの通信の照明範囲監視・警報システムを示す概念図である。
【図８】インストラクチャー・モードの通信の照明範囲監視・警報システムを示す概念図である。
【図９】白熱電球型の多機能ＬＥＤランプを示す正面図である。
【図１０】角型引掛シーリングタイプの多機能ＬＥＤランプを示す三面図である。
【図１１】多機能ＬＥＤランプの最も望ましい回路の基本的構造の一例を示すブロック図である。
【図１２】多機能ＬＥＤランプの最も望ましい回路構造の他の例を示すブロック図である。
【図１３】開発途上の未完の多機能ＬＥＤランプの回路構造を示すブロック図である。
【図１４】開発途上の未完の多機能ＬＥＤランプの他の回路構造を示すブロック図である。
【図１５】開発途上の未完の多機能ＬＥＤランプの他の回路構造を示すブロック図である。
【図１６】開発途上の未完の多機能ＬＥＤランプの他の回路構造を示すブロック図である。
【図１７】開発途上の未完の多機能ＬＥＤランプの他の回路構造を示すブロック図である。
【図１８】両側給電タイプの両端がわに電子機器が搭載された多機能ＬＥＤランプの望ましい回路構造の一例を示すブロック図である。
【図１９】新幹線の客室に設置された照明範囲監視・警報システムを示す概念図である。
【図２０】多機能ＬＥＤランプの部品構成を示すブロック図である。
【実施例１】
【００４６】
この発明の多機能型ＬＥＤランプについて示す前に、この発明の多機能型ＬＥＤランプを開発する過程で、検討した幾つかの多機能型ＬＥＤランプの構造について触れておくこととする。
この発明の多機能型ＬＥＤランプを開発するに当たり、該多機能ＬＥＤランプの電源回路について検討を加えたところ、図１３に示すように、多機能ＬＥＤランプＬの外部から供給されたＧＸ１６ｔ−５規格に準じた定電流の外部給電８３を受けた主電源回路８が、ＬＥＤ７および小型カメラ（ＣＭＯＳ：ｃｏｍｐｌｅｍｅｎｔａｒｙ  ｍｅｔａｌ  ｏｘｉｄｅ  ｓｅｍｉｃｏｎｄｕｃｔｏｒ、以降は省略する。）Ｃに直接的に供給されたものの場合には、ＬＥＤ７は正常に点灯するものの、小型カメラＣが動作しないものとなり、図１４に示すもののように、主電源回路８と小型カメラＣとの間にＤＣ／ＤＣコンバータ８２を介在させたものは、小型カメラＣが、定電圧化された給電を受けて正常に動作するようになるものの、小型カメラＣの消費電力の変動による影響を受けたＬＥＤ７は、主電源回路８からの定電圧給電が不安定なものとなり、点灯のチラツキが発生してしまうという欠点を生じてしまうものであった。
【００４７】
また、図１５に示すように、主電源回路８と、複数の電子機器Ｅ，Ｅ，…が接続された一個のＤＣ／ＤＣコンバータ８２との間に定電流電源回路８０が設けられたものは、複数の電子機器Ｅ，Ｅ，…が発生する負荷変動により、定電流電源回路８０以降の電圧が変動し、変動した電圧が定電流電源回路８０およびＤＣ／ＤＣコンバータ８２の許容電圧を超え、該定電流電源回路８０およびＤＣ／ＤＣコンバータ８２が破壊してしまう虞があり、図１６に示すように、主電源回路８と、複数の電子機器Ｅ，Ｅ，…が接続された一個のＤＣ／ＤＣコンバータ８２との間に定電圧電源回路８１が設けられたものは、定電圧電源回路８１以降の負荷変動により消費電流量が変動するため、ＬＥＤ７の点灯が安定せず、激しくチラついてしまうという欠点を有するものであった。
【００４８】
さらに、検討を重ねた結果、図１７に示すように、ＬＥＤ７に繋がる主電源回路８に定電圧電源回路８１が接続され、該定電圧電源回路８１に対し定電流電源回路８０が接続され、該定電流電源回路８０に対し、複数の電子機器Ｅ，Ｅ，…が接続されたＤＣ／ＤＣコンバータ８２が接続された多機能型ＬＥＤランプＬは、該定電流電源回路８０ないし複数の電子機器Ｅ，Ｅ，…の負荷変動により、電圧が変動し、電圧が許容電圧を超えると、該定電流電源回路８０およびＤＣ／ＤＣコンバータ８２が破壊してしまう虞があるという欠点を有することが判明した。
【００４９】
以上のような検討を重ねた結果、図１、図２、図４、図６および図１１に示すような構造とされた、この発明の多機能型ＬＥＤランプＬの開発に成功したものであり、これら各図に示す事例は、口金５に透光カバー６が一体化されたランプ本体４を有し、当該ランプ本体４の内がわにＬＥＤ７、および、該ＬＥＤ７と当該口金５とを繋ぐ主電源回路８が内装され、図１１に示されるように、当該ランプ本体４に、該ＬＥＤ７以外の電子機器Ｅが搭載され、該主電源回路８に対し当該ランプ本体４に配された定電流電源回路８０が接続され、該定電流電源回路８０に対し当該ランプ本体４に配された定電圧電源回路８１が接続され、該定電圧電源回路８１に対し当該ランプ本体４に配されたＤＣ／ＤＣコンバータ（例えば、ＭＩＮＭＡＸ社製  ＭＦＷ０３−４８Ｓ０５）８２が接続され、該ＤＣ／ＤＣコンバータ８２に対し、該ＬＥＤ７を除く、電子機器Ｅが接続されてなるものとした、この発明の多機能ＬＥＤランプにおける代表的な一実施例を示すものである。
【００５０】
それら各図からも明確に把握できるとおり、この発明の多機能ＬＥＤランプＬは、ＧＸ１６ｔ−５規格に準じた直管蛍光灯形の外郭形状に設定された直管形ランプ本体４の周回りの設置の際天井（上方：照明方向とは反対がわ）向きとなる一側壁に、アルミニウム合金製であって外周壁に放熱用の複数の溝が刻設された筐体ヒートシンク部４０、それとは反対がわの設置の際床（下方：照明方向）向きとなる周回りの他側周壁に、乳白色磨りガラス状の仕上げとしたポリカーボネート製の透光カバー６が設けられ、該直管形ランプ本体４の両端に、ＧＸ１６ｔ−５規格に準じた照明灯装置３のソケット部３０，３０に組み込み可能な、ＰＢＴ（ｐｏｌｙｂｕｔｙｌｅｎｅ  ｔｅｒｅｐｈｔｈａｌａｔｅ）製の口金５，５０が設けられ、各口金５，５０の中の一方のみに、照明灯装置３のソケット部３０に対して機械的および電気的に接続可能な外部電力供給用の端子５１，５１が設けられた片側給電タイプのものとされ、該一方の口金部５の端子５１，５１を通じて、外部給電（３００／３５０ｍＡ定電流給電）８３の供給を受けるものとされ、該照明灯装置３は、ＬＥＤ７の点灯に適した一定の電流量に規制する外部・定電流電源回路３１を有するものとされており、該直管形ランプ本体４の該外部給電（３００／３５０ｍＡ定電流給電）８３の供給を受ける一方の口金部５とは反対がわの、他方に配された口金部５０には、照明灯装置３のソケット部３０に対して機械的に接続可能且つ電気的に接続不能な端子５２が設けられたものとされ、図４に示すように、一方の口金５の近傍外壁に、電力接続用の口金部５であることを表示する注意表示部５３が、不透明な貼着シール５３の貼り付けによって表示したものとされており、該注意表示部５３は、該不透明な貼着シール５３の外に、照明の障害とならない透明または半透明な貼着シールの貼り付けによる表示、直接的印刷表示、または刻印表示などの何れかによって設けたものとすることが可能である。
【００５１】
複数個のＬＥＤ７，７，……は、近赤外波長および遠赤外波長の赤外光が重畳された昼光色、昼白色、白色、温白色および電球色の少なくとも何れか一の発光色に照明するものとされており、小型カメラＣは、可視光画像に加えて近赤外波長および遠赤外波長の画像も捕らえることができるものとされている。
【００５２】
図１に示すように、直管形ランプ本体４の筐体ヒートシンク部４０および透光カバー６の一端と、一方の口金部５との間には、該筐体ヒートシンク部４０の設置の際床（下方：照明方向）向きとなる周壁が、下向きに膨出され、該透光カバー６に面する側壁が、該透光カバー６からの照射光の妨げとならないよう、該透光カバー６に対して該一方の口金部５がわに５°ないし６０°望ましくは１５°の適宜角度αに傾斜された姿勢（図１中に直管形ランプ本体４の中心線ＣＬを示す）とされた傾斜側壁４３を有する下向き膨出部４２が一体化された電装ボックス４１が設けられ、該電装ボックス４１の下向き膨出部４２の、該直管形ランプ本体４の設置の際床（下方：照明方向）向きとなる周壁の、一方の口金部５寄りとなる位置には、その撮像部Ｃが該直管形ランプ本体４の設置の際床（下方：照明方向）向きとなる姿勢に支持された小型カメラＣとしてのＣＭＯＳ（ｃｏｍｐｌｅｍｅｎｔａｒｙ  ｍｅｔａｌ  ｏｘｉｄｅ  ｓｅｍｉｃｏｎｄｕｃｔｏｒ）カメラＣが設けられている。
【００５３】
直管形ランプ本体４内の筐体ヒートシンク部４０および透光カバー６の内側であって、他方の口金部５０と電装ボックス４１との間には、該筐体ヒートシンク部４０の設置の際、床（下方：照明方向）向きとなる壁面がわに対し、複数個のＬＥＤ７，７，……を互いに等間隔配置に整列するよう搭載されたＬＥＤ基板７０が、該ＬＥＤ基板７０の背面の一部または全部が接するよう配され、該ＬＥＤ基板７０のＬＥＤ７，７，……が搭載された表面が透光カバー６に対峙するよう架設され、該ＬＥＤ基板７０と筐体ヒートシンク部４０との間の空間、口金部５，５０内、および、電装ボックス４１内の少なくとも何れか一箇所、望ましくは電装ボックス４１内に電源回路８が設けられ、該電装ボックス４１内に記憶部９０を備えた演算処理部９が設けられ、該電装ボックス４１の下向き膨出部４２の傾斜側壁４３の内がわに、無線器Ｒが、その無線回路およびアンテナ部Ｒ１が搭載された無線回路基板Ｒ０を、透光カバーの外表面（直管形ランプ本体４の中心線ＣＬ）に対し、５°ないし６０°望ましくは１５°の適宜角度αに傾斜、固着されたものとして内蔵され、電源回路８、ＣＭＯＳカメラＣおよび無線器Ｒが、演算処理部９の自動制御を受けて動作するものとなっている。
【００５４】
無線器Ｒは、ＢＬＥ（Ｂｌｕｅｔｏｏｔｈ  Ｌｏｗ  Ｅｎｅｒｇｙ）により、位置情報を発信すると共に、双方向無線通信可能なビーコンモジュールＲとされ、演算処理部９は、記憶部９０に、ＣＭＯＳカメラＣを自動制御する画像処理ソフトウェア、無線器Ｒを自動制御する自動通信ソフトウェア、および、画像処理ソフトウェアおよび自動通信ソフトウェアを統合制御可能とする統合制御ソフトウェアを、書き換え可能または書き換え不能の何れか一方の状態に記憶し、演算処理部９が、統合制御ソフトウェアに従い、通信ソフトウェアおよび画像処理ソフトウェアを自動的に制御可能なものとされている。
【００５５】
後述する実施例２の図１２および図２０にも示すように、演算処理部９は、記憶部９０が、マイクロＳＤカード９１などのリムーバブルメディア９１、および、該マイクロＳＤカード９１などのリムーバブルメディア９１が、機械的に着脱自在に装着可能なものとされたリーダー・ライター９２からなるものとされたものか、または、該記憶部９０として設けられたＲＯＭ（Ｒｅａｄ  ｏｎｌｙ  ｍｅｍｏｒｙ）９０やＲＡＭ（Ｒａｎｄｏｍ  ａｃｃｅｓｓ  ｍｅｍｏｒｙ）９０などに対し、マイクロＳＤカード９１などのリムーバブルメディア９１、および、該マイクロＳＤカード９１などのリムーバブルメディア９１が、機械的に着脱自在に装着可能なものとされたリーダー・ライター９２が、追加された状態に設けられたものかの何れか一方のものとすることができる。
【００５６】
図１、図２、図４、図６、図７（または図８）、図１１、図１９、に示すように、照明灯装置３，３，……、およびそれらに装着された多機能型ＬＥＤランプL，L,……が、例えば新幹線車両の客室ＢＲ内の天井Ｔに上方に向けて凹設された設置空間に対し、該客室ＢＲの前後端間に互いに通信可能な間隔を隔てて複数設置され、さらに、天井Ｔ面に面一状となる透光可能なシェードカバーＳＣが、該客室ＢＲ内に露出しないよう隠蔽する如く、外装状に装着されたものとされ、各多機能型ＬＥＤランプＬ，Ｌ，……の演算処理部９の統合制御ソフトウェアは、画像処理ソフトウェアを起動し、該画像処理ソフトウェアは、ＣＭＯＳカメラＣが捕らえた画像情報を、カラー映像として自動的に記録する上、ＣＭＯＳカメラＣが捕らえた画像情報の中、近赤外波長の画像情報を抽出し、金属部分を識別し、例えば客室ＢＲ内に刃物などの凶器類を持ち込んだ人物を検知したり、または、白杖、白い傘およびビニール傘との形状の違い、例えば、傘のカバーを透視して骨（金属）部分を識別可能とするよう画像処理し、白杖と認識し、さらに、該白杖を持つ人の存在を検知したりした場合などには、統合制御ソフトウェアが、自動通信ソフトウェア（無線器Ｒ）およびホストコンピュータ・端末装置ＰＣの外部無線器を介して、新幹線の車掌室内や新幹線から離れた駅舎、または、新幹線の総合指令所などのホストコンピュータ・端末装置ＰＣに警報または警告を発するものとすることができる。
【００５７】
また、統合制御ソフトウェアによって起動された画像処理ソフトウェアは、ＣＭＯＳカメラＣが捕らえた画像情報を、カラー映像として自動的に記録する上、ＣＭＯＳカメラＣがサーモグラフィ機能によって捕らえた遠赤外波長の画像情報を抽出し、放射温度の違いにより、例えば顧客の体温を識別し、伝染病の感染が疑われる人物を検知したり、客室ＢＲ内に持ち込まれた物の異常な発熱や火気を識別したり、または、盲導犬とバッグとを識別可能とするよう画像処理し、盲導犬と認識し、該盲導犬を連れた人を検知した場合には、統合制御ソフトウェアが、自動通信ソフトウェア（無線器Ｒ）およびホストコンピュータ・端末装置ＰＣの外部無線器を介して、新幹線の車掌室内や新幹線から離れた駅舎、または、新幹線の総合指令所などのホストコンピュータ・端末装置ＰＣに警報または警告を発するものとすることができる。
【００５８】
（実施例１の作用・効果）
以上のとおりの構成からなるこの発明の多機能ＬＥＤランプＬは、図６および図１１に示すように、外部給電（ＧＸ１６ｔ−５規格、３００／３５０ｍＡ定電流給電）８３を供給可能とする外部・定電流電源回路３１が内蔵された照明灯装置３のソケット部３０，３０間に対して組み込まれ、該照明灯装置３の電源スイッチ（図示せず）がオン操作されると、当該多機能ＬＥＤランプＬの、電源回路８である主電源回路８から、外部給電（ＧＸ１６ｔ−５規格、３００／３５０ｍＡ定電流給電）８３の供給を受け、ＬＥＤ７，７，……の順方向電圧（順電圧）Ｖｆによって決定された例えば７０Ｖの電流が供給され、該ＬＥＤ７，７，……が、安定して点灯されることとなり、定電流電源回路８０は、ＤＣ／ＤＣコンバータ８２に必要とされる出力（５Ｖ／６００ｍＡ）を得るための６４Ｖ／７６ｍＡと、定電流電源回路８０、定電圧電源回路８１の動作に必要となる８０ｍＡを考慮して８０ｍＡを安定して出力するものとされ、定電圧電源回路８１は、該ＬＥＤ７，７，……の順方向電圧（順電圧）Ｖｆの変動、および、定電流電源回路８０、定電圧電源回路８１の動作に必要となる電圧降下分を考慮して６４Ｖが安定して出力されるものとされている。
【００５９】
ＤＣ／ＤＣコンバータ８２（例えば、ＭＩＮＭＡＸ社製  ＭＦＷ０３−４８Ｓ０５）は、該ＬＥＤ７，７，……の順方向電圧（順電圧：７０Ｖ）Ｖｆおよび定電圧電源回路８１の６４Ｖが、小型カメラＣを含む電子機器Ｅの個々の動作電圧（５Ｖ）よりも相当に高いため、入力電圧の高いものが選択されており、入力が３６Ｖないし７５Ｖ／最大７６ｍＡとされ、５Ｖ／最大６００ｍＡを出力するものとされ、以上の構成から、定電圧電源回路８１内で負荷変動が吸収（回路消費電流が少ない場合は定電圧電源回路８１内で消費）され、電流および電圧が一定に維持され、該ＬＥＤ７，７，……がチラつくことなく安定して点灯するものとなる。
【００６０】
そして、この発明の多機能ＬＥＤランプＬは、ＣＭＯＳカメラＣが撮影した画像に基づき、ＣＭＯＳカメラＣが捕らえた画像情報の中、近赤外波長の画像情報を抽出し、客室ＢＲ内に刃物などの凶器類を持ち込んだ人物を自動的に検知し、または、白杖を持つ人や、盲導犬を連れた人などを自動的に検知するものとなり、さらにまた、ＣＭＯＳカメラＣのサーモグラフィ機能によって捕らえた遠赤外波長の画像情報を抽出し、伝染病の感染が疑われる人物を検知したり、客室ＢＲ内に持ち込まれた物の異常な発熱や火気を識別したり、または、盲導犬とバッグとを識別可能とするよう画像処理し、盲導犬と認識し、該盲導犬を連れた人を自動的に検知するものとなり、図７または図８の何れか一方に示すように、無線器Ｒを通じて、新幹線の車掌室内や新幹線から離れた駅舎、または、新幹線の総合指令所などに設置されたホストコンピュータ・端末装置ＰＣに報知することができるから、犯罪の可能性や火災の可能性などを乗務員や鉄道警察隊などの関係部署に自動的に通報したり、視覚障害者を自動的に識別し、より安全な保護や誘導を可能としたり、客室ＢＲ内の様々な状況を速やかに把握し、迅速且つ正確な対応を確実に行えるようにしたりすることが可能であり、また、無線器Ｒが無線ＬＡＮ（Ｌｏｃａｌ  Ａｒｅａ  Ｎｅｔｗｏｒｋ）、Ｗｉ−Ｆｉ（登録商標）、Ｂｌｕｅｔｏｏｔｈ（登録商標）、ＢＬＥ（Ｂｌｕｅｔｏｏｔｈ  Ｌｏｗ  Ｅｎｅｒｇｙ），Ｂｅａｃｏｎなどの何れかの通信が可能とされたものとすることにより、それらの無線通信が可能な携帯型端末ＳＰを携帯した人や視覚障害者などに対して、無線器Ｒを通じて携帯型端末ＳＰに各種情報を送信したり、携帯型端末ＳＰが案内音声や警報音声などを発するよう通信したりすることなどが可能となる外、ビッグデータの収集および活用にも利用可能となるなど、幅広い利用が可能なものとなる。                          
【実施例２】
【００６１】
図３、図１２および図２０に示すように、この発明の多機能ＬＥＤランプＬは、前記実施例１に示した構造の記憶部９０を備えた演算処理部９、ＣＭＯＳカメラＣおよび無線器Ｒに加え、電装ボックス４１内には、該直管形ランプ本体４の設置の際、床（下方：照明方向）向きとなる下向き膨出部４２の壁面に、集音部Ｍ０を露出したマイクＭ、および、音声出力部Ｓ０を露出したスピーカーＳが夫々設けられ、該演算処理部９の記憶部９０に、マイクＭを自動制御する録音制御ソフトウェア、スピーカーＳを自動制御する音声出力ソフトウェア、および、前記実施例１に記載の自動通信ソフトウェアおよび画像処理ソフトウェアに加え、録音制御ソフトウェアおよび音声出力ソフトウェアを統合制御可能とする統合制御ソフトウェアが記憶され、統合制御ソフトウェアに従い、画像処理ソフトウェア、自動通信ソフトウェア、録音制御ソフトウェアおよび音声出力ソフトウェアを自動的に制御可能なものとされている。
【００６２】
また、図５および図１８に示すように、この発明の多機能ＬＥＤランプＬは、照明灯装置３に内蔵された外部・定電流電源回路３１から、両ソケット部３０，３０を通じて定電流給電されるもとされた照明灯装置３が装着の対象となる場合に、前述したように、直管形ランプ本体４の筐体ヒートシンク部４０および透光カバー６と、一端がわの口金５との間に、ＣＭＯＳカメラＣ、無線器Ｒ、マイクＭおよびスピーカーＳを有する電装ボックス４１が設けられたのに加え、さらに、直管形ランプ本体４の筐体ヒートシンク部４０および透光カバー６と、一端とは反対がわとなる他端がわの口金５との間にも、ＣＭＯＳカメラＣ、マイクＭおよびスピーカーＳを有する電装ボックス４１が設けられ、左右のＣＭＯＳカメラＣ，ＣがステレオカメラＣ，Ｃを構成し、左右のマイクＭ，ＭがステレオマイクＭ，Ｍを構成し、左右のスピーカーＳ，ＳがステレオスピーカーＳ，Ｓを構成するものとされたものとすることができ、図１８に示すように、ＬＥＤ基板７０，７０が、全長方向の中央を境に、図１２に示した、部品構成および回路構成が、両口金５，５０の双方に、略対称となるよう設けられたものとすることが可能であり、演算処理部９、記憶部９０、マイクロＳＤカード９１、リーダー・ライター９２、無線器（ビーコンモジュール）Ｒ、無線回路基板Ｒ０およびアンテナ部Ｒ１は、両電装ボックス４１，４１のうちの何れか一方にのみに設けられ、一個の演算処理部９が、両ＬＥＤ基板７０，７０のＬＥＤ７，７，……および、両電装ボックス４１，４１内のステレオカメラＣ，Ｃ、ステレオマイクＭ，Ｍ、ステレオスピーカーＳ，Ｓ、記憶部９０、マイクロＳＤカード９１、リーダー・ライター９２、および、無線器（ビーコンモジュール）Ｒなどの各電子機器Ｅ，Ｅ、……を統合的に制御するものとされたものとすることができる。
【００６３】
（実施例２の作用・効果）
以上のとおりの構成からなるこの発明の多機能ＬＥＤランプＬは、図３に示すように、ＣＭＯＳカメラＣおよび無線器Ｒに加え、マイクＭおよびスピーカーＳが設けられているから、音声の検知、録音、および分析などが可能となる上、設置場所の周囲に対して、スピーカーＳを通じて音声による案内や誘導、および、警報などが可能となり、さらに、マイクＭおよびスピーカーＳと無線器Ｒとを連繋し、遠隔地との通話が可能になるという効果を奏するものとなる。
【００６４】
そして、図５に示されるように、左右のＣＭＯＳカメラＣ，ＣがステレオカメラＣ，Ｃとされたものは、直管形ランプ本体４の両端がわに配された左右のＣＭＯＳカメラＣ，Ｃによって、左右双方のＣＭＯＳカメラＣ，Ｃが捕らえた人や物などの三角測量が可能となり、左右双方のＣＭＯＳカメラＣ，Ｃが捕らえた人や物の位置を正確に演算処理することができ、撮影範囲における特定の人や物の位置情報をより高精度に取得可能なものとなり、また、左右のマイクＭ，ＭがステレオマイクＭ，Ｍを構成したものは、音源から音が到達するまでの左右の時間差を利用して音源位置を演算処理によって特定することが可能である外、図７または図８、図１９および図２０に示すように、新幹線の車掌室内や新幹線から離れた駅舎、または、新幹線の総合指令所などの遠隔地で、例えば、イーサネット（Ｅｔｈｅｒｎｅｔ：登録商標）規格に準じて構築され、該多機能ＬＥＤランプＬ，Ｌ，……に対し、インターネットを介し（またはインターネットを介さずに）、接続されたローカル・エリア・ネットワーク（Ｌｏｃａｌ  Ａｒｅａ  Ｎｅｔｗｏｒｋ）に設けられたホストコンピュータ・端末装置ＰＣを操作する者が、該端末装置ＰＣに接続されたステレオスピーカーやステレオヘッドフォンなどを通じて、多機能ＬＥＤランプＬが設置された場所の音声を、より臨場感をもって聞き取れるようになり、左右のスピーカーＳ，ＳがステレオスピーカーＳ，Ｓを構成するものは、ステレオ音源をより中実に再現できるものとなる上、モノラル音声の場合には、スピーカーＳが一つの場合より、より広範囲に音声を届けることが可能となる。                                                                              
【実施例３】
【００６５】
図９に示す、多機能ＬＥＤランプＬは、白熱ランプと交換可能な外郭形状および外郭寸法に設定された白熱球形ランプ本体４とされ、白熱球形ランプ本体４の基端に、白熱ランプ用のソケットに装着可能な形状および寸法に設定された端子５１を有する口金５が設けられ、該口金５の先端には、先端方向に向かうに従い口径が拡大する錐状外壁を有する筒状ヒートシンク部４０が、該口金５と同心上に一体化され、該筒状ヒートシンク部４０の口金５とは反対がわとなる先端に、球面形の透光カバー６が設けられたものとされ、該筒状ヒートシンク部４０の内部には、電源回路８、記憶部９０を有する演算処理部９および無線器Ｒが内蔵され、さらに、該筒状ヒートシンク部４０の先端寄りの外周囲には、該筒状ヒートシンク部４０の内部に収容されたＣＭＯＳカメラＣの撮像部Ｃ、マイクＭの集音部Ｍ０、および、スピーカーＳの音声出力部Ｓ０が、例えば周回りに９０°（一部１８０°）置き毎か、または１２０°置き毎かの何れか一方の間隔を隔てて露出するよう配され、該筒状ヒートシンク部４０の先端の透光カバー６の内壁に対峙する位置には、ＬＥＤ基板７０に搭載されたＬＥＤ７が、外がわ（透光カバー６がわ）に向けるよう設けられたものとなっており、演算処理部９が、ＣＭＯＳカメラＣ、無線器Ｒ、マイクＭおよびスピーカーＳを制御するものとされている。
【００６６】
また、図１０に示す、シーリングタイプの多機能ＬＥＤランプＬは、円筒形ランプ本体４の基端に、角型引掛シーリングタイプの一対の鈎型端子５１，５１が突設された口金５が設けられ、該円筒形ランプ本体４の口金５とは反対がわとなる先端に、非球面形の透光カバー６が設けられたものとされ、該円筒形ランプ本体４の内部には、電源回路８、記憶部９０を有する演算処理部９および無線器Ｒが内蔵され、さらに、該筒状ヒートシンク部４０の外周囲には、該筒状ヒートシンク部４０の内部に収容されたマイクＭの集音部Ｍ０、および、スピーカーＳの音声出力部Ｓ０が、例えば周回りに１８０°置き毎の間隔を隔てて露出するよう配され、該筒状ヒートシンク部４０の内部に収容されたＣＭＯＳカメラＣの撮像部Ｃが、透光カバー６に露出するよう配設され、該筒状ヒートシンク部４０の先端の透光カバー６の内壁に対峙する位置には、ＬＥＤ７が搭載されたＬＥＤ基板７０が、該ＬＥＤ７を外がわ（透光カバー６がわ）に向けるよう設けられたものとなっており、演算処理部９が、ＬＥＤ７、ＣＭＯＳカメラＣ、無線器Ｒ、マイクＭおよびスピーカーＳを制御するものとされている。
【００６７】
（実施例３の作用・効果）
以上のとおりの構成からなるこの発明の多機能ＬＥＤランプＬは、図９に示されるように、白熱ランプと交換可能なものとすることや、図１０に示すように、シーリングタイプの照明灯と交換可能なものとすることなどができ、前記実施例１および２に示したような直管形ランプ本体４を有するものと同様に、内部に外部・定電流電源回路３１が設けられた照明灯装置に対し、同照明灯装置のソケット部や、角型引掛シーリングタイプのコンセントなどに装着して利用することが可能となる。                                                            
【実施例４】
【００６８】
図７および図１９に示すように、この発明の多機能ＬＥＤランプＬを利用した照明範囲監視・警報システム１は、例えば、新幹線の客室内の天井に所定距離置き毎に複数設置された照明灯装置３，３，……に対して、夫々多機能ＬＥＤランプＬ，Ｌ，……が設置された上、それら多機能ＬＥＤランプＬ，Ｌ，……と、新幹線の車掌室内や新幹線から離れた駅舎、または、新幹線の総合指令所などの少なくとも何れかに設置されたホストコンピュータ・端末装置ＰＣの無線器（外部無線器）とが、アドホック・モードの通信で通信可能となるよう構築された無線通信ネットワーク２を有するものとすることができる外、図８に示すように、夫々多機能ＬＥＤランプＬ，Ｌ，……とホストコンピュータ・端末装置ＰＣの無線器（外部無線器）とが、インストラクチャー・モードの通信で通信可能となるよう構築された無線通信ネットワーク２とすることが可能である。
【００６９】
（実施例４の作用・効果）
以上のとおりの構成からなるこの発明の多機能ＬＥＤランプＬを利用した照明範囲監視・警報システム１は、アドホック・モードの通信か、または、インストラクチャー・モードの通信かの何れか一方の形態の通信が可能とされたものであり、夫々の通信の利点を活かして利用することが可能であり、図７、図８および図１９に示すように、各多機能ＬＥＤランプＬ，Ｌ，……が取得した画像情報（および、マイクＭを有するものの場合には音声情報）をホストコンピュータ・端末装置ＰＣに収集し、分析利用することが可能となる上、個々の多機能ＬＥＤランプＬ，Ｌ，……の画像（や、マイクＭを有するものの場合には音声）の検知情報に基づき、ホストコンピュータ・端末装置ＰＣが、各多機能ＬＥＤランプＬ，Ｌ，……の周辺状況を自動的に監視し、必要に応じて個々の多機能ＬＥＤランプＬ，Ｌ，……から、個別の誘導音声や、無線信号の出力などが行えるものとなり、例えば、ビーコン機能を有する携帯型端末ＳＰを携帯する人が、多機能ＬＥＤランプＬに接近すると、その携帯型端末ＳＰを携帯する人の位置情報が、ホストコンピュータ・端末装置ＰＣに無線通信によって到達され、該携帯型端末ＳＰを携帯する人に有益と判断される情報（例えば、近くの販売店の公告情報や、災害発生時の避難情報など）を、該携帯型端末ＳＰに対し、無線通信によって自動的に提供可能なものとすることが可能となり、さらに、携帯型端末ＳＰを携帯する人が、ホストコンピュータ・端末装置ＰＣに予め設定された新幹線車両の客室ＢＲ内の誘導範囲の境界に接近したり、誘導範囲の境界を超えて出て行こうとしたりした場合には、該携帯型端末ＳＰに対し、無線通信によって自動的に警告音声が出力され、自動的に誘導範囲内に戻るよう誘導する如く自動的に音声誘導したりするものとすることが可能となるなど、様々な利用が可能となる。
【００７０】
（結  び）
叙述の如く、この発明の多機能ＬＥＤランプ、およびそれを利用した照明範囲監視・警報システムは、その新規な構成によって所期の目的を遍く達成可能とするものであり、しかも製造も容易で、定電流電源回路を備えた照明灯装置類に対し、電球を交換する程度の簡単な作業によって、短時間の中に設置することができる上、ＬＥＤランプの使用によってランプの寿命を延命化し、電力消費量を大幅に節減して遙かに経済的なものとすることができる上、従前までのような監視カメラを別に設置する場所の確保や、監視カメラを別に設置するための工数および経費を大幅に削減することができるから格段に廉価にて設置することができ、その特有の電源回路構造によってＬＥＤの点灯を安定化し、さらに、搭載された小型カメラなどの電子機器に安定した電力を供給できるものとなるから、格段に信頼性に優れたＬＥＤ照明、および、監視・警報システムを実現化するものとなり、移動中の鉄道車両内をより効率的に照明すると共に、鉄道車両の車室内をより正確且つ経済的に監視し、乗客の安全をより確実なものとしたいと希望する鉄道業界はもとよりのこと、建築物の建築業界や大型車両の製造業界、および、建築物や道路、鉄道などをより安全に利用したい一般の人々にも高く評価され、広範に渡って利用、普及していくものになると予想される。                                                                                                        
【符号の説明】
【００７１】
１      照明範囲監視・警報システム
２      無線通信ネットワーク
ＰＣ      ホストコンピュータ・端末装置（外部無線器）
３      照明灯装置
３０    同  ソケット部
３１    同  外部・定電流電源回路
Ｌ      多機能型ＬＥＤランプ
４      ランプ本体（直管形ランプ本体、白熱球形ランプ本体、円筒形ランプ本体）
４０    同  筐体ヒートシンク部（筒状ヒートシンク部）
４１    同  電装ボックス
ＣＬ    同  中心線
４２    同  下向き膨出部
４３    同  傾斜側壁
５      口金
５０    同  口金
５１    同  端子（鈎型端子）
５２    同  端子（機械的接続のみ）
５３    同  不透明な貼着シール（注意表示部）
６      透光カバー
７      ＬＥＤ
７０    同  ＬＥＤ基板
８      電源回路（主電源回路）
Ｖｆ    同  順方向電圧（順電圧）
８０    同  定電流電源回路
８１    同  定電圧電源回路
８２    同  ＤＣ／ＤＣコンバータ
８３    同  外部給電
Ｅ      電子機器
９      演算処理部
９０    同  記憶部
９１    同  マイクロＳＤカード（リムーバブルメディア）
９２    同  リーダー・ライター
Ｃ      小型カメラ（ＣＭＯＳカメラ、撮像部）
Ｒ      無線器（ビーコンモジュール）
Ｒ０    同  無線回路基板
Ｒ１    同  アンテナ部
Ｍ      マイク
Ｍ０    同  集音部
Ｓ      スピーカー
Ｓ０    同  音声出力部
ＳＰ      携帯型端末
ＢＲ      新幹線車両の客室
Ｔ    同  天井
ＳＣ      シェードカバー
【図１】
2020145124.tif 000003
【図２】
2020145124.tif 000004
【図３】
2020145124.tif 000005
【図４】
2020145124.tif 000006
【図５】
2020145124.tif 000007
【図６】
2020145124.tif 000008
【図７】
2020145124.tif 000009
【図８】
2020145124.tif 000010
【図９】
2020145124.tif 000011
【図１０】
2020145124.tif 000012
【図１１】
2020145124.tif 000013
【図１２】
2020145124.tif 000014
【図１３】
2020145124.tif 000015
【図１４】
2020145124.tif 000016
【図１５】
2020145124.tif 000017
【図１６】
2020145124.tif 000018
【図１７】
2020145124.tif 000019
【図１８】
2020145124.tif 000020
【図１９】
2020145124.tif 000021
【図２０】
2020145124.tif 000022